(57)【要約】【課題】現在のルアーフィッシングにおいて、多用されるジグヘッドやラバージグ、スモラバは、その構造上、根がかりが頻発し、水中に残ったルアーやラインが放置され、さらなる根がかりを誘発し、水辺に棲む水生生物や水鳥等に様々な害を与え環境破壊を繰り返してきた。またルアーをアクションさせることが容易でなかった。【解決手段】３錘を１フックの下部に配置し５バンパーアーム部を設けることによって、水中の障害物をすり抜けてリトリーブできるように設計した。また、６結束部の前方に８の水の抵抗を受ける為のカップを設けルアー本体に、容易にアクションさせることを可能にした。また、７の接続部を使用することで、アピールを高める為のブレードや、錘を追加する等、さらなる拡張性も備える。【選択図】図１
2019088264.tif 000002
【特許請求の範囲】
【請求項１】
３錘を１フックの下部に配置し５バンパーアーム部を設けることによって、水中の障害物をすり抜けてリトリーブできるよう設計した。
【請求項２】
６結束部の前方に８水の抵抗を受ける為のカップを設けルアー本体に容易にアクションさせることを可能にした。通称カップと記載するが、機能上リップとも呼ばれる部位のことである。
【請求項３】
７の接続部を使用することで、アピールを高める為のブレードや、錘を追加する等、さらなる拡張性も備えた。また、７の接続部は、３錘部の後方に配置するだけでなく、２ラインアイと１フックの接続部後方や、５バンパーアーム部に配置することも可能である。水中の障害物が過少な場合、７接続部に針を追加し釣果を高めることもできる。
【請求項４】
２ラインアイ部の位置、角度、形状や、５バンパーアーム部の長さや角度、または、途中で折り目を付けたり、曲線を持たせたりすることは、釣る対象となる魚種に合わせて変化させ成型する。
【請求項５】
１フックの形状、３錘の重さや形状、素材、８カップのサイズや形状、素材も釣る対象となる魚種に合わせて成型する。
【請求項６】
既存のジグヘッド、ラバージグ、スモラバ等に、５のバンパーアーム部と下部に３錘部を配置することで、本発明を簡易に作製することもできる。
【請求項７】
１フック部と５バンパーアーム部を繋ぐ２ラインアイ部直下の要となる部分は、釣る対象となる魚種に合わせて成型する。対象魚が小さい場合やラバー等を巻かない時は、小さな輪っか状にし、開き防止の為の簡易な硬質ゴムや金属等で止める。また、対象魚が大きい場合や、フック前方にラバー等を巻く時は、６結束部を金属、ゴム、合成樹脂、プラスチック等で成型する。
【請求項８】
１フック部から５バンパーアーム部の成型するにあたり、最も理想的な成型方法は、フック及びワイヤー部までの一体成型が望ましいが、既存の技術を使用するには、１フック部と５バンパーアーム部を繋ぐ２ラインアイ部直下の要となる部分で溶接結束したり、結束した上で金属、ゴム、合成樹脂、プラスチック等で成型する。
【請求項９】
最も容易に本発明を実現させる手段として、既存のジグヘッド、ラバージグ、スモラバ等の軸の部分に５バンパーアーム部３錘部７接続部を追加することで、本発明を成型することも可能である。
【発明の詳細な説明】
【技術分野】
【０００１】  本発明は、フックの下部に錘を配置し、さらにバンパーアーム部を設けることによって、これまでのジグヘッド、ラバージグ、スモラバ等のようなルアーを根がかりしにくい形状にすることに関する。また、このようなルアーにアクションを付ける為に、錘の形状を工夫する等の限られた方法以外の水の抵抗を受ける工夫を設計した。
【背景技術】
【０００２】  この種のルアーにおいて、図４のようにフックの前方に錘を配置することにより錘が水中の障害物に当たると、そのままフックが倒れ根がかりを誘発していた。
【先行技術文献】
【非特許文献１】特許平０８−３５６８２８（平８．１２．２６）図３
【発明の概要】
【発明が解決しようとする課題】
【０００３】  これまでのジグヘッド、ラバージグ、スモラバ等は、ラインが巻かれてルアーが進む進行方向の同一線上にフックがあるという構造上、どうしても回避することができない根がかりがあった。また、このようなルアーにアクションさせる為には、もっと他の要因で容易に操作できる構造が必要だった。
【課題を解決しようとする手段】
【０００４】  本発明に係るルアーは、図１のようにラインアイ、錘、フックが同一線上にならないように、錘をフック下部に配置し、なおかつバンパーアーム部を設けることで障害物に衝突しても、ルアー本体を上に回避させることで、根がかりをしないよう設計した。
【０００５】  また、ルアー本体の前方にカップ（リップ）部を設ける事で、容易にアクションさせることができるよう設計した。
【０００６】  さらに７の接続部を設けることにより、使用者の任意で、ルアーをより魚にアピールすることができる、ブレードや羽根等、または、錘や針を追加できるように設計した。
【発明の効果】
【０００７】  本発明においては、ラインアイ、錘、フックを同一線上から外したこと、錘をフック下部に配置したこと、錘の前に、バンパーアーム部を設けたことにより、これまでのジグヘッド、ラバージグ、スモラバ等と比べ、飛躍的に障害物を回避することが可能になった。また、ルアー本体前方に設けたカップ（リップ）部が、アクションを容易にし７の接続部の拡張性により、ブレード等、好みの物が追加できるので、楽しくカスタマイズできるようにした。
【図面の簡単な説明】
【０００８】
【図１】本発明に係るルアーの側面図である。
【図２】８カップとリップのバリエーションの例。
【図３】７付属品接続部の例。
【図４】従来のジグヘッド、ラバージグの例。
【発明を実施するための形態】
【０００９】  上記において、既存のジグヘッド、ラバージグ、スモラバ等と呼ばれるルアーに対して根がかりを回避しつつ、対象魚に対して様々なアピールをする為に工夫をしたものが根幹となり、既存の技術にプラスアルファするだけでも、実現可能である。しかし、新しい機能も搭載されるので、その機能を最大限に活用する為に、以下の形態を記す。
２ラインアイ部の位置、角度、形状や、５バンパーアーム部の長さや角度、または、途中で折り目を付けたり、曲線を持たせたりすることは、釣る対象となる魚種に合わせて成型する。１フックの形状、３錘の重さや形状、素材、８カップのサイズや形状、素材も釣る対象となる魚種に合わせて成型する。
１フック部と５バンパーアーム部を繋ぐ２ラインアイ部直下の要となる部分は、釣る対象となる魚種に合わせて成型する。対象魚が小さい場合やラバー等を巻かない時は、小さな輪っか状にし、開き防止の為の簡易な硬質ゴムや金属等で開きを止める。また、対象魚が大きい場合や、フック前方にラバー等を巻く時は、６結束部を金属、ゴム、合成樹脂、プラスチック等で成型する。
１フック部から５バンパーアーム部の成型するにあたり、最も理想的な成型方法は、フック及びワイヤー部までの一体成型が望ましいが、既存の技術を使用するには、１フック部と５バンパーアーム部を繋ぐ２ラインアイ部直下の要となる部分で溶接結束したり、結束した上で金属、ゴム、合成樹脂、プラスチック等で成型する。
７の接続部を使用することで、アピールを高める為のブレードや、錘、ペラ等を追加する等、さらなる拡張性も備えた。また、７の接続部は、３の錘部の後方に配置するだけでなく、２ラインアイ部と１フックの接続部後方や、５バンパーアーム部に配置することも可能である。水中の障害物が過少な時、７接続部に針を追加し釣果を高めることもできる。また、それらの場所に、クレビス、スイベル等を用いて接続する方法もある。
最も容易に本発明を実現させる手段として、既存のジグヘッド、ラバージグ、スモラバ等の軸の部分に５バンパーアーム３錘７接続部を追加することで、本発明を成型する。
また、一般的にジグヘッド、ラバージグ、スモラバと呼ばれるルアーの類はフック部等に任意のゴム製ワーム等を装着して使用するが、そのフック部等そのものに、金属・樹脂・ゴム・シリコン・プラスチック等で、魚や烏賊等の水生生物を模した物や他のあらゆる形状の物を、あらかじめ成型した上で完成となる物もある。本発明においても、そういった方法を用いる事により集魚効果を高める様々な工夫を追加して使用できるものとする。
ワームを装着するに限定せず、餌を装着することによって、さらなる釣果アップをすることもできる。または、それらを組み合わせて使用することも可能である。
全ての部位の素材となる針金類・錘・フック・カップ・リップ等は、金属・樹脂・ゴム・シリコン・プラスチック等、あらゆる素材を使用して成型することが可能である為、素材を個別に限定しない。
上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【符号の説明】
【００１０】  １  フック
２  ラインアイ
３  錘
４  ラバー、シリコンラバー、羽根、ティンセル等
５  バンパーアーム部
６  符号１・２・５の結束部
７  錘やブレード等を、付属させる時に使用する接続部
８  水の抵抗を受ける為の、カップやリップになる部分
【図１】
2019088264.tif 000003
【図２】
2019088264.tif 000004
【図３】
2019088264.tif 000005
【図４】
2019088264.tif 000006